【手続補正書】
【提出日】平成17年7月4日(2005.7.4)
【手続補正１】
【補正対象書類名】明細書
【補正対象項目名】特許請求の範囲
【補正方法】変更
【補正の内容】
【特許請求の範囲】
【請求項１】
反射部と透過部を備えた画素を有し、対向する第１の基板と第２の基板とを含む一対の電気光学装置用基板、およびその間に電気光学物質を含む電気光学装置において、
前記一つの電気光学装置用基板が、第１の基板と、前記反射部に備えられてなる反射層と、着色層と、を含み、
前記反射部と重なる領域における前記反射層と前記着色層との間に、前記基板表面からの着色層の高さ位置を調整するための調整層を備え、
当該調整層は前記透過部と重なる領域には設けられていないことを特徴とする電気光学装置。
【請求項２】
反射部と透過部を備えた画素を有し、対向する第１の基板と第２の基板とを含む一対の電気光学装置用基板、およびその間に電気光学物質を含む電気光学装置において、
前記一つの電気光学装置用基板が、第１の基板と、前記反射部に備えられてなる反射層と、を含み、もう一つの電気光学装置用基板が、第２の基板と、着色層と、を含み、
前記反射部と重なる領域における前記第２の基板と前記着色層との間に、前記電気光学物質の厚さを調整するための調整層を備え、
当該調整層は前記透過部と重なる領域には設けられていないことを特徴とする電気光学装置。
【請求項３】
反射部と透過部を備えた画素を有し、対向する第１の基板と第２の基板とを含む一対の電気光学装置用基板、およびその間に電気光学物質を含む電気光学装置において、
前記一つの電気光学装置用基板が、第１の基板と、前記反射部に備えられてなる反射層と、着色層と、を含み、
当該反射層と、前記着色層との間に、前記基板表面からの着色層の高さ位置を調整するための調整層を備えるとともに、当該調整層の前記透過部と重なる領域に、薄肉部を設けることを特徴とする電気光学装置。
【請求項４】
反射部と透過部を備えた画素を有し、対向する第１の基板と第２の基板とを含む一対の電気光学装置用基板、およびその間に電気光学物質を含む電気光学装置において、
前記一つの電気光学装置用基板が、第１の基板と、前記反射部に備えられてなる反射層と、を含み、もう一つの電気光学装置用基板が、第２の基板と、着色層と、を含み、
前記第２の基板と、前記着色層との間に、前記電気光学物質の厚さを調整するための調整層を備えるとともに、当該調整層の前記透過部と重なる領域に、薄肉部を設けることを特徴とする電気光学装置。
【請求項５】
前記調整層の厚さをｔ１とし、前記着色層の厚さをｔ２としたときに、ｔ１／ｔ２で表される比率を０．１〜１０の範囲内の値とすることを特徴とする請求項１〜４のいずれか一項に記載の電気光学装置。
【請求項６】
前記調整層の端部をテーパ状とすることを特徴とする請求項１〜５のいずれか一項に記載の電気光学装置。
【請求項７】
前記調整層の可視光透過率を９０％以上の値とすることを特徴とする請求項１〜６のいずれか一項に記載の電気光学装置。
【請求項８】
前記着色層上に保護膜を備えるとともに、当該保護膜の前記透過部と重なる領域に、凹部を設けることを特徴とする請求項１〜７のいずれか一項に記載の電気光学装置。
【請求項９】
前記着色層または前記保護膜上に配向膜を備えるとともに、当該配向膜の表面に凹部を設けることを特徴とする請求項８に記載の電気光学装置。
【請求項１０】
前記第１の基板または前記第２の基板の表面に凹部を設けるとともに、当該凹部と重なる領域に、前記透過部を設けることを特徴とする請求項１〜９のいずれか一項に記載の電気光学装置。
【請求項１１】
前記反射層が、表面に独立して形成された複数の凸部を有する反射基部と、その上の反射膜とを含むことを特徴とする請求項１〜１０のいずれか一項に記載の電気光学装置。
【請求項１２】
前記透過部を実質的に覆う着色層と、前記反射部を部分的に覆う着色層とを、同種または同一の着色剤から構成することを特徴とする請求項１〜１１のいずれか一項に記載の電気光学装置。
【請求項１３】
前記透過部を実質的に覆う着色層の下方に、当該着色層の厚さを調整するための厚さ調整層を設けることを特徴とする請求項１〜１２のいずれか一項に記載の電気光学装置。
【請求項１４】
前記反射部と重なる領域における電気光学物質の厚さをｔａとし、前記透過部と重なる領域における電気光学物質の厚さをｔｂとしたとき、下記式を満足することを特徴とする請求項１〜１３のいずれか一項に記載の電気光学装置。
ｔａ＜ｔｂ＜２ｔａ
【請求項１５】
前記電気光学物質の屈折率異方性をΔｎとしたとき、下記式を満足することを特徴とする請求項１３に記載の電気光学装置。
Δｎ・ｔａ＜Δｎ・ｔｂ＜Δｎ・２ｔａ
【請求項１６】
反射部と透過部を備えた画素を有し、基板と、反射部に備えられてなる反射層と、着色層と、を含む電気光学装置用基板において、
前記反射層と、前記着色層との間に、前記基板表面からの着色層の高さ位置を調整するための調整層を備えるとともに、
当該調整層の前記透過部と重なる領域に、凹部を設けることを特徴とする電気光学装置用基板。
【請求項１７】
反射部と透過部を備えた画素を有し、基板と、前記反射部に備えられてなる反射層と、着色層と、を含む電気光学装置用基板の製造方法において、
前記基板上に、前記反射層を形成する工程と、
当該反射層上に、前記基板表面からの着色層の高さ位置を調整するための調整層であって、前記透過部と重なる領域に、凹部を有する調整層を形成する工程と、
当該調整層上に、着色層を形成する工程と、
を含むことを特徴とする電気光学装置用基板の製造方法。
【請求項１８】
請求項１〜１５のいずれか一項に記載された電気光学装置と、当該電気光学装置を制御するための制御手段と、を備えることを特徴とする電子機器。
【手続補正２】
【補正対象書類名】明細書
【補正対象項目名】００１１
【補正方法】変更
【補正の内容】
【００１１】
【課題を解決するための手段】
本発明に係る電気光学装置用基板は、反射部と透過部を備えた画素を有し、基板と、反射部に備えられてなる反射層と、着色層と、を含む電気光学装置用基板において、前記反射層と、前記着色層との間に、前記基板表面からの着色層の高さ位置を調整するための調整層を備えるとともに、当該調整層の前記透過部と重なる領域に、凹部を設けることを特徴とする。
本発明の実施の形態に係る電気光学装置用基板によれば、基板と、反射部および開口部を有する反射層と、着色層と、を含む電気光学装置用基板において、反射層と、着色層との間に、基板表面からの着色層の高さ位置を調整するための位置調整層を備えるとともに、当該位置調整層の反射層の開口部と重なる領域に、開口部または実質的に光が通過できるための薄肉部を設けたことにより、上述した問題点を解決することができる。
すなわち、位置調整層を所定位置に設けることによって、電気光学装置用基板の光透過部における着色層上に凹部が容易に形成される。そのため、反射半透過型の電気光学装置を形成した場合に、反射層の開口部における電気光学物質の厚さがその他の部分よりも厚くなる。したがって、透過型表示を構成する透過光に作用する電気光学物質のリタデーション値（電気光学物質層透過時の光学的作用値）が、反射型表示を実現する反射光に作用する電気光学物質のリタデーション値（電気光学物質層往復時の合計の光学的作用値）に近くなるため、透過型表示における透過光の利用効率を従来よりも高めることができる。よって、透過光の利用効率が高まることによって、透過型表示を得るための照明光量を低減することが可能になり、また、反射層の開口部の面積を低減して反射型表示をより明るくすることも可能になる。
【手続補正３】
【補正対象書類名】明細書
【補正対象項目名】００１２
【補正方法】変更
【補正の内容】
【００１２】
また、本発明に係る電気光学装置は、前記調整層の厚さをｔ１とし、前記着色層の厚さをｔ２としたときに、ｔ１／ｔ２で表される比率を０．１〜１０の範囲内の値とすることを特徴とする。
本発明の実施の形態に係る電気光学装置用基板を構成するにあたり、位置調整層の厚さをｔ１とし、着色層の厚さをｔ２としたときに、ｔ１／ｔ２で表される比率を０．１〜１０の範囲内の値とすることが好ましい。
このように構成することにより、着色層の表面、ひいては着色層上に形成した保護層や配向膜上にも容易に凹部を形成することができる。したがって、反射型表示であっても、透過型表示であっても、それぞれにおける色再現性と、明るさのバランスを良好なものとすることができる。
【手続補正４】
【補正対象書類名】明細書
【補正対象項目名】００１３
【補正方法】変更
【補正の内容】
【００１３】
また、本発明に係る電気光学装置は、前記調整層の端部をテーパ状とすることを特徴とする。
本発明の実施の形態に係る電気光学装置用基板を構成するにあたり、位置調整層の端部をテーパ状とすることが好ましい。
このように構成することにより、位置調整層に対して、着色層をより密着して形成することができる。
【手続補正５】
【補正対象書類名】明細書
【補正対象項目名】００１４
【補正方法】変更
【補正の内容】
【００１４】
本発明に係る電気光学装置は、前記調整層の可視光透過率を９０％以上の値とすることを特徴とする。
本発明の実施の形態に係る電気光学装置用基板を構成するにあたり、位置調整層の可視光透過率を９０％以上の値とすることが好ましい。
このように構成することにより、位置調整層における光吸収を抑制し、反射層に到達する光量および反射層から外部に取り出される光量の低下を有効に防止することができる。
【手続補正６】
【補正対象書類名】明細書
【補正対象項目名】００１５
【補正方法】変更
【補正の内容】
【００１５】
本発明に係る電気光学装置は、前記着色層上に保護膜を備えるとともに、当該保護膜の前記透過部と重なる領域に、凹部を設けることを特徴とする。
本発明の実施の形態に係る電気光学装置用基板を構成するにあたり、着色層上に保護膜を備えるとともに、当該保護膜の反射層の開口部と重なる領域に、開口部または実質的に光が通過できるための薄肉部を設けることが好ましい。
このように特定の保護膜を備えた構成とすることにより、光の透過を妨げることなく、電気光学装置用基板の機械的強度や耐熱性を高めることができる。
【手続補正７】
【補正対象書類名】明細書
【補正対象項目名】００１６
【補正方法】変更
【補正の内容】
【００１６】
本発明に係る電気光学装置は、前記着色層または前記保護膜上に配向膜を備えるとともに、当該配向膜の表面に凹部を設けることを特徴とする。
本発明の実施の形態に係る電気光学装置用基板を構成するにあたり、着色層または保護膜上に配向膜を備えるとともに、当該配向膜の表面に凹部を設けることが好ましい。
このように構成することにより、電気光学物質が凹部内に容易に入り込むことができ、反射層の開口に重なる領域における電気光学物質の厚さをさらに容易に調整することができる。
【手続補正８】
【補正対象書類名】明細書
【補正対象項目名】００１７
【補正方法】変更
【補正の内容】
【００１７】
本発明に係る電気光学装置は、前記第１の基板または前記第２の基板の表面に凹部を設けるとともに、当該凹部と重なる領域に、前記透過部を設けることを特徴とする。
本発明の実施の形態に係る電気光学装置用基板を構成するにあたり、基板の表面に凹部を設けるとともに、当該凹部と重なる領域に、反射層の開口部を設けることが好ましい。
このように構成することにより、電気光学物質が凹部内に容易に入り込むことができ、反射層の開口に重なる領域における電気光学物質の厚さをさらに容易に調整することができる。
【手続補正９】
【補正対象書類名】明細書
【補正対象項目名】００１８
【補正方法】変更
【補正の内容】
【００１８】
本発明に係る電気光学装置は、前記反射層が、表面に独立して形成された複数の凸部を有する反射基部と、その上の反射膜とを含むことを特徴とする。
本発明の実施の形態に係る電気光学装置用基板を構成するにあたり、反射層が、表面に独立して形成された複数の凸部を有する反射基部と、反射膜とを含むことが好ましい。
このように構成することにより、外部から入射した光が、反射層において過度に反射することを有効に防止することができる。
【手続補正１０】
【補正対象書類名】明細書
【補正対象項目名】００１９
【補正方法】変更
【補正の内容】
【００１９】
また、前記透過部を実質的に覆う着色層と、前記反射部を部分的に覆う着色層とを、同種または同一の着色剤から構成することを特徴とする。
本発明の実施の形態に係る電気光学装置用基板を構成するにあたり、反射層の開口部を実質的に覆う着色層と、反射層の反射部を部分的に覆う着色層とを、同種または同一の着色剤から構成することが好ましい。
このように構成することにより、比較的種類の少ない着色剤を使用した場合であっても、反射型表示であっても、透過型表示であっても、それぞれにおける色再現性と、明るさのバランスを良好なものとすることができる。
【手続補正１１】
【補正対象書類名】明細書
【補正対象項目名】００２０
【補正方法】変更
【補正の内容】
【００２０】
また、本発明に係る電気光学装置は、前記透過部を実質的に覆う着色層の下方に、当該着色層の厚さを調整するための厚さ調整層を設けることを特徴とする。
本発明の実施の形態に係る電気光学装置用基板を構成するにあたり、反射層の開口部を実質的に覆う着色層の下方に、当該着色層の厚さを調整するための厚さ調整層を設けることが好ましい。
このように構成することにより、反射層の開口部を実質的に覆う着色層の厚さ 
を容易に調整することができる。したがって、厚さが適当な着色層を介して、反射層の開口部を光透過させた場合に、十分かつ均一に光吸収をして、色再現性に優れた着色光を外部に取り出すことができる。
【手続補正１２】
【補正対象書類名】明細書
【補正対象項目名】００２１
【補正方法】変更
【補正の内容】
【００２１】
また、本発明に係る電気光学装置用基板の製造方法は、反射部と透過部を備えた画素を有し、基板と、前記反射部に備えられてなる反射層と、着色層と、を含む電気光学装置用基板の製造方法において、前記基板上に、前記反射層を形成する工程と、当該反射層上に、前記基板表面からの着色層の高さ位置を調整するための調整層であって、前記透過部と重なる領域に、凹部を有する調整層を形成する工程と、当該調整層上に、着色層を形成する工程と、を含むことを特徴とする。
本発明の別の実施の形態に係る態様は、基板と、反射部および開口部を有する反射層と、着色層と、を含む電気光学装置用基板の製造方法において、基板上に、反射層を形成する工程と、当該反射層上に、基板表面からの着色層の高さ位置を調整するための位置調整層であって、反射層の開口部と重なる領域に、開口部または実質的に光が通過できるための薄肉部を有する位置調整層を形成する工程と、当該位置調整層上に、着色層を形成する工程と、を含む電気光学装置用基板の製造方法が提供され、上述した問題点を解決することができる。
すなわち、得られた電気光学装置用基板によれば、電気光学装置用基板の光透過部における着色層上に凹部が容易に形成される。そのため、反射半透過型の電気光学装置を形成した場合に、反射層の開口部における電気光学物質の厚さがその他の部分よりも厚くなる。
したがって、透過型表示を構成する透過光に作用する電気光学物質のリタデーション値が、反射型表示を実現する反射光に作用する電気光学物質のリタデーション値に近くなるため、透過型表示における透過光の利用効率が高い電気光学装置用基板を効率的に得ることができる。
よって、このような電気光学装置用基板を製造することにより、透過光の利用効率が高まることによって、透過型表示を得るための照明光量を低減することが可能になり、また、反射層の開口部の面積を低減して反射型表示をより明るくすることも可能になる。
【手続補正１３】
【補正対象書類名】明細書
【補正対象項目名】００２２
【補正方法】変更
【補正の内容】
【００２２】
また、本発明に係る電気光学装置は、反射部と透過部を備えた画素を有し、対向する第１の基板と第２の基板とを含む一対の電気光学装置用基板、およびその間に電気光学物質を含む電気光学装置において、前記一つの電気光学装置用基板が、第１の基板と、前記反射部に備えられてなる反射層と、着色層と、を含み、前記反射部と重なる領域における前記反射層と前記着色層との間に、前記基板表面からの着色層の高さ位置を調整するための調整層を備え、当該調整層は前記透過部と重なる領域には設けられていないことを特徴とする。
本発明に係る電気光学装置は、反射部と透過部を備えた画素を有し、対向する第１の基板と第２の基板とを含む一対の電気光学装置用基板、およびその間に電気光学物質を含む電気光学装置において、前記一つの電気光学装置用基板が、第１の基板と、前記反射部に備えられてなる反射層と、着色層と、を含み、当該反射層と、前記着色層との間に、前記基板表面からの着色層の高さ位置を調整するための調整層を備えるとともに、当該調整層の前記透過部と重なる領域に、薄肉部を設けることを特徴とする。
本発明の別の実施の形態に係る態様は、対向する一対の電気光学装置用基板、およびその間に電気光学的物質を含む電気光学装置において、一つの電気光学装置用基板が、基板と、反射部および開口部を有する反射層と、着色層と、を含み、当該反射層と、着色層との間に、基板表面からの着色層の高さ位置を調整するための位置調整層を備えるとともに、当該位置調整層の前記反射層の開口部と重なる領域に、開口部または実質的に光が通過できるための薄肉部が設けてある電気光学装置が提供され、上述した問題点を解決することができる。
すなわち、得られた電気光学装置によれば、透過型表示を構成する透過光に作用する電気光学物質のリタデーション値が、反射型表示を実現する反射光に作用する電気光学物質のリタデーション値に近くなる。
したがって、反射型表示であっても、透過型表示であっても、それぞれ明るい上に色再現性に優れた画像表示が得られる電気光学装置、例えば、反射半透過型の液晶表示装置等を提供することができる。
【手続補正１４】
【補正対象書類名】明細書
【補正対象項目名】００２３
【補正方法】変更
【補正の内容】
【００２３】
また、本発明に係る電気光学装置は、反射部と透過部を備えた画素を有し、対向する第１の基板と第２の基板とを含む一対の電気光学装置用基板、およびその間に電気光学物質を含む電気光学装置において、前記一つの電気光学装置用基板が、第１の基板と、前記反射部に備えられてなる反射層と、を含み、もう一つの電気光学装置用基板が、第２の基板と、着色層と、を含み、前記反射部と重なる領域における前記第２の基板と前記着色層との間に、前記電気光学物質の厚さを調整するための調整層を備え、当該調整層は前記透過部と重なる領域には設けられていないことを特徴とする。
本発明に係る電気光学装置は、反射部と透過部を備えた画素を有し、対向する第１の基板と第２の基板とを含む一対の電気光学装置用基板、およびその間に電気光学物質を含む電気光学装置において、前記一つの電気光学装置用基板が、第１の基板と、前記反射部に備えられてなる反射層と、を含み、もう一つの電気光学装置用基板が、第２の基板と、着色層と、を含み、前記第２の基板と、前記着色層との間に、前記電気光学物質の厚さを調整するための調整層を備えるとともに、当該調整層の前記透過部と重なる領域に、薄肉部を設けることを特徴とする。
本発明の別の実施の形態に係る態様は、対向する一対の電気光学装置用基板、およびその間に電気光学的物質を含む電気光学装置において、一つの電気光学装置用基板が、基板と、反射部および開口部を有する反射層と、を含み、もう一つの電気光学装置用基板が、基板と、着色層と、を含み、一つの電気光学装置用基板における反射層上に、電気光学的物質の厚さを調整するための厚さ調整層を備えるとともに、当該厚さ調整層の反射層の開口部と重なる領域に、開口部または実質的に光が通過できるための薄肉部が設けてある電気光学装置が提供され、上述した問題点を解決することができる。
すなわち、得られた電気光学装置によれば、透過型表示を構成する透過光に作用する電気光学物質のリタデーション値が、反射型表示を実現する反射光に作用する電気光学物質のリタデーション値に近くなる。
したがって、反射型表示であっても、透過型表示であっても、それぞれ明るい上に色再現性に優れた画像表示が得られる電気光学装置、例えば、反射半透過型の液晶表示装置等を提供することができる。
【手続補正１５】
【補正対象書類名】明細書
【補正対象項目名】００２４
【補正方法】変更
【補正の内容】
【００２４】
また、本発明に係る電気光学装置は、前記反射部と重なる領域における電気光学物質の厚さをｔａとし、前記透過部と重なる領域における電気光学物質の厚さをｔｂとしたとき、下記式を満足することを特徴とする。
ｔａ＜ｔｂ＜２ｔａ
本発明の実施の形態に係る電気光学装置を構成するにあたり、反射層の反射部と重なる領域における電気光学的物質の厚さをｔａとし、反射層の開口部と重なる領域における電気光学的物質の厚さをｔｂとしたとき、下記式を満足することが好ましい。
ｔａ＜ｔｂ＜２ｔａ
このように構成することにより、透過型表示における光の利用効率をさらに向上させることができる。
【手続補正１６】
【補正対象書類名】明細書
【補正対象項目名】００２５
【補正方法】変更
【補正の内容】
【００２５】
また、本発明に係る電気光学装置は、前記電気光学物質の屈折率異方性をΔｎとしたとき、下記式を満足することを特徴とする。
Δｎ・ｔａ＜Δｎ・ｔｂ＜Δｎ・２ｔａ
本発明の実施の形態に係る電気光学装置を構成するにあたり、電気光学的物質の屈折率異方性をΔｎとしたとき、下記式を満足することが好ましい。
Δｎ・ｔａ＜Δｎ・ｔｂ＜Δｎ・２ｔａ
このように構成することにより、透過型表示における光の利用効率をさらに向上させることができる。